(57)【要約】【課題】車両に重量物を搭載するのに用いられるケース体やフレーム体等の構造体であって、荷重を分散し、また耐振動性に優れる保護構造体の提供を目的とする。【解決手段】内リブと外リブとで中空部を形成した側壁部と、水平方向に形成した水平中空部を有する水平部とを備え、前記水平中空部が前記内リブを貫通するように前記水平部と側壁部とを一体的に形成してあることを特徴とする。【選択図】  図１
2019160536.tif 000002
【特許請求の範囲】
【請求項１】
内リブと外リブとで中空部を形成した側壁部と、
水平方向に形成した水平中空部を有する水平部とを備え、
前記水平中空部が前記内リブを貫通するように前記水平部と側壁部とを一体的に形成してあることを特徴とする保護構造体。
【請求項２】
前記水平中空部は上リブと下リブとで形成してあり、
前記上リブ及び下リブの一部にて、前記側壁部の中空部を上下に分断するように形成してあることを特徴とする請求項１記載の保護構造体。
【請求項３】
前記側壁部と前記水平部とは、押出材にて一体成形してあることを特徴とする請求項１又は２記載記載の保護構造体。
【請求項４】
車両に電池モジュールを搭載するためのものであることを特徴とする請求項１〜３のいずれかに記載の保護構造体。
【発明の詳細な説明】
【技術分野】
【０００１】
本発明は車両に電池モジュール等の重量物を搭載する際に用いられる保護構造体に関する。
【背景技術】
【０００２】
電気自動車、ハイブリッド自転車，プラグインハイブリッド自転車等は、駆動源に電池モジュール，電池パック等と称される二次電池が用いられている。
これらを車両に搭載する際には、衝撃等の外部の荷重から保護する必要があるとともに、走行時に発生する振動に対する耐振動性も要求される。
【０００３】
特許文献１には、小型車両の衝突対応構造として、サイドシル前端とヒンジピラー下端との間に閉断面構造部材を設けるとともに、この閉断面構造部材から内向きに突出するリブを有する構造を開示する。
しかし、このような構造では振動等により発生する応力が内向きに突出するリブの根元に集中し、この部分が破損しやすい課題があった。
【先行技術文献】
【特許文献】
【０００４】
【特許文献１】特開２０１３−００１２３５号公報
【発明の概要】
【発明が解決しようとする課題】
【０００５】
本発明は、車両に重量物を搭載するのに用いられるケース体やフレーム体等の構造体であって、荷重を分散し、また耐振動性に優れる保護構造体の提供を目的とする。
【課題を解決するための手段】
【０００６】
本発明に係る保護構造体は、内リブと外リブとで中空部を形成した側壁部と、水平方向に形成した水平中空部を有する水平部とを備え、前記水平中空部が前記内リブを貫通するように前記水平部と側壁部とを一体的に形成してあることを特徴とする。
ここで水平部とは、上下方向に延在する側壁部に対して、その内側に相対的に略直交する方向に形成した部分であることを表現したものであって、厳密に水平である必要はない。
【０００７】
本発明において水平部は、電池モジュール等の重量物を取付支持するためのものである。
取付支持する構造としては、重量物を載置するように取り付けてもよく、この重量物を吊り下げ支持するように取り付けてもよく、その支持構造に制限はない。
【０００８】
本発明において、水平部の水平中空部が側壁部の内リブを貫通させる構造として、前記水平中空部は上リブと下リブとで形成してあり、前記上リブ及び下リブの一部にて、前記側壁部の中空部を上下に分断するように形成する例が挙げられる。
ここで、前記側壁部と前記水平部とは、押出材にて一体成形することもできる。
【発明の効果】
【０００９】
本発明に係る保護構造体は、車両に電池モジュールやその制御部品等を搭載するのに適している。
【００１０】
本発明に係る保護構造体にあっては、水平部に電池モジュール等の重量物を取り付けた場合にその荷重、あるいは外部からの加えられた衝撃等の荷重は、側壁部の内リブと外リブとに分散されるので外部からの荷重に対して重量物の保護効果が高く、耐振動性にも優れる。
【図面の簡単な説明】
【００１１】
【図１】（ａ）は本発明に係る保護構造体の例を示し、（ｂ）に側壁部と水平部との連結構造の部分拡大図を示す。
【図２】保護構造体の側面図を示す。
【図３】側壁部と水平部との連結の比較説明図を示す。
【発明を実施するための形態】
【００１２】
本発明に係る保護構造体は、重量物を車両に搭載するためのものであり、例えば電池パック、電池モジュール等と称されている二次電池及びそれらを制御する制御部品等を搭載するのに適している。
構造そのものは、複数のパネル体からなるケース体，複数のフレームからなるフレーム体，それらを組み合せた構造体等，構成部材に制限はない。
本発明に係る保護構造体の特徴は、ケース体やフレーム体を構成する上下方向の側壁部と横方向の水平部との連結構造にある。
【００１３】
図１（ａ）には、底板１５からなる第１の搭載部を有し、その上方に設けた水平部１２及びこの水平部に必要に応じて連結した中間パネル１６からなる第２の搭載部を有する２段構造の保護構造体の例を示す。
第１の搭載部を構成する底板１５からは、側壁として垂直パネル（１１，１３，１４）を立設し、その途中側壁部１１に、第２の搭載部を構成する水平部１２を連結してあり、その拡大図を図１（ｂ）に示す。
側壁は一枚のパネル状の側壁部１１で構成してもよいが、本実施例は図１，２に示すように中間に位置する側壁部１１の上部に形成した嵌合フランジ状の連結部１１ｆに上部側壁パネル１４を嵌合連結し、側壁部１１の下部に形成した連結フランジ１１ｇに底板１５から立設した下部側壁パネル１３を連結固定した３分割構造になっている。
側壁の分割構造や連結構造に制限はない。
【００１４】
上記側壁は、第１及び第２搭載部の両側に対向して立設してもよいが、本実施例では底板１５と中間パネル１６とを中空断面形状からなる複数の側パネル１７（１７ａ，１７ｂ，１７ｃ）にて連結した例になっている。
また、図示を省略したが、第２の搭載部の上方はカバー部材で覆う構造例になっていて、このカバー部材は上部側壁パネル１４の上端フランジ部１４ａにて固定することができる。
また、底板１５の側壁と直交する両側端部には必要に応じてサブフランジ１９ａ，１９ｂを有し、第２の搭載部の両側端部にもサブフランジ１８ａ，１８ｂを有する側になっているが、これらのサブフランジは無くてもよい。
【００１５】
図１（ｂ）にサブフランジ１８ｂを取り外した状態の水平部１２と側壁部１１との部分拡大図を示す。
側壁部１１は、上下方向に配設した複数の中空部１１ｃ，１１ｄ，１１ｅを有するパネル形状になっている。
中空部は内リブ１１ｂと外リブ１１ａとの途中を連結リブ１１ｈでつなぐ形状になっているが、保護構造体の内側に向けて形成した中空断面形状からなる水平部１２との連結部は次のようになっている。
水平部１２は一対の上リブ１２ｂと下リブ１２ｃとの途中を垂直方向のつなぎリブ１２ｄにて複数の水平中空部１２ａを形成してある。
上リブ１２ｂと下リブ１２ｃの先端側の一部が側壁部１１の内リブ１１ｂを貫通している状態になっている。
言い換えれば、この貫通した上リブ１２ｂと下リブ１２ｃの部分で側壁部の中空部を分断し、中空部１１ｃと中空部１１ｄを形成した状態になり、上リブ１２ｂと下リブ１２ｃとの先端側は外リブ１１ａとなって水平中空部１２ａを形成した状態になっている。
これにより、第２の搭載部を形成した水平部１２に図示を省略した固定ピン等にて二次電池（電池モジュール）Ｖを取り付けた場合に、その荷重は上リブ１２ｂと外リブ１１ａとの連結コーナー部を介して伝達される荷重ｆ１と下リブ１２ｃと内リブ１１ｂとの連結コーナー部を介して伝達される荷重ｆ２とに分散される。
【００１６】
この作用を図３に示した連結構造と比較する。
図３は、中空断面形状の水平部１１２と上下方向の中空部を有する側壁部１１１とを略直角に連結した場合を示す。
このような連結構造にあっては、水平部１１２に加わる荷重はコーナー部ｆ０に応力集中しやすく、この部分への局部的負荷が大きくなってしまう。
これに対して本発明に係る連結構造にあっては、応力がｆ１とｆ２に分散されるので、衝撃等の外部からの負荷に対しても分散効果があるので、搭載物の保護効果が高い。
また、走行中に発生する振動もｆ１とｆ２に分散されて側壁部１１に伝達されるので振動耐久性にも優れる。
このような連結構造は、アルミニウム合金等の押出材にて容易に製作できる。
【符号の説明】
【００１７】
１１        側壁部
１１ａ      外リブ
１１ｂ      内リブ
１１ｃ      中空部
１１ｄ      中空部
１１ｅ      中空部
１１ｆ      連結部
１１ｇ      連結フランジ
１１ｈ      連結リブ
１２        水平部
１２ａ      水平中空部
１２ｂ      上リブ
１２ｃ      下リブ
１２ｄ      つなぎリブ
【図１】
2019160536.tif 000003
【図２】
2019160536.tif 000004
【図３】
2019160536.tif 000005